(57)【特許請求の範囲】
【請求項１】
移動相溶媒を送液する送液ポンプと、前記移動相溶媒とともに送られて来る目的試料の成分を分離するカラムと、前記カラムに前記目的試料を導入するインジェクタとを含む液体クロマトグラフと、分離された成分を順次イオン化するイオン源と、イオン化された成分のマススペクトルを連続して取得するイオントラップを含む質量分析計が組み合わされた液体クロマトグラフ／質量分析計を用いた分析方法において、
前記カラムに保持されないペプチド成分を内部標準試料として前記カラムに導入し、この導入は目的試料導入から目的試料の測定終了まで一定量を連続して行うことを特徴とする液体クロマトグラフ／質量分析計を用いた分析方法。
【請求項２】
請求項１記載の液体クロマトグラフ／質量分析計を用いた分析方法において、
前記質量分析計は、ｐｐｍレベル（１／１０６の精度）の精度で精密質量測定を行うことの出来る二重収束磁場型質量分析計、飛行時間型質量分析計、またはフーリエ変換型質量分析計であることを特徴とする液体クロマトグラフ／質量分析計を用いた分析方法。
【発明の詳細な説明】
【技術分野】
【０００１】
本発明は、質量分析計に関し、液体クロマトグラフにより分離された成分の精密質量数測定を可能とする液体クロマトグラフ／質量分析計、および液体クロマトグラフ／質量分析計の分析方法に関する。
【背景技術】
【０００２】
精密質量数測定とは、質量分析計により測定対象イオンの質量数をｐｐｍレベル（１／１０６の精度）の精度で測定することであり、得られた精密質量数結果により対象イオンの元素組成を求める手法である。
【０００３】
この手法により精密質量数により求められたイオンの元素組成から測定対象成分の構造解析を行うことが可能となり、構造未知の対象成分については、この精密質量数より得られた元素組成から、未知成分の正確な同定や構造解析を行うことが可能となる。
【０００４】
現在、精密質量測定を行うことの出来る質量分析計は、二重収束磁場型質量分析計（ｄｏｕｂｌｅ−ｆｏｃｕｓｉｎｇ  ｍａｇｎｅｔｉｃ  ｓｅｃｔｏｒ  ｍａｓｓ  ｓｐｅｃｔｒｏｍｅｔｅｒ）、飛行時間型質量分析計（Ｔｉｍｅ−ｏｆ−ｆｌｉｇｈｔ  Ｍａｓｓ  Ｓｐｅｃｔｒｏｍｅｔｅｒ，  ＴＯＦ）やフーリエ変換型質量分析計（Ｆｏｕｒｉｅｒ  ｔｒａｎｓｆｏｒｍ  ｍａｓｓ  ｓｐｅｃｔｒｏｍｅｔｅｒ，  ＦＴＭＳ）などである。
【０００５】
飛行時間型質量分析計については、現在、イオン化を行うイオン源と質量分析を行う飛行時間型質量分析計の間に、四重極型質量分析計（Ｑｕａｄｒｕｐｏｌｅ  Ｍａｓｓ  Ｓｐｅｃｔｒｏｍｅｔｅｒ，  ＱＭＳ）を配置したＱ−ＴＯＦと呼ばれるタイプ（特開平１１−１５４４８６号公報（特許文献１））や、イオン化を行うイオン源と質量分析を行う飛行時間型質量分析計の間にイオントラップ型質量分析計を結合させたイオントラップ−飛行時間型質量分析計（特開２００３−１２３６８５号公報（特許文献２））などの精密質量数測定が可能な装置が開発されている。
【０００６】
どちらのタイプの飛行時間型質量分析計においても精密質量測定時は、精度の向上のために、質量分析時に得られるイオンの質量数を補正（質量キャリブレーション）することが必要不可欠となる。
【０００７】
飛行時間型質量分析計において、質量Ｍの一価のイオンを加速電圧Ｕにより加速するとイオンは速度ｖで真空中を飛行する。速度ｖは次式のように求められる。
【０００８】
ｖ＝１．３９＊１０４√（Ｕ／Ｍ）  ………  （１）
今、長さＬ（メートル）のＴＯＦの飛行空間をイオンが飛行するに要する時間をｔ（秒）とすると、ｔは（２）式のように求められる。
【０００９】
ｔ＝Ｌ／ｖ＝Ｌ／（１．３９＊１０４√（Ｕ／Ｍ））＝ｋ√（Ｍ）  ………  （２）
ここで、ｋは装置固有の定数である。即ち、イオンの飛行時間ｔは質量の平方根に比例する。実際のＴＯＦ装置では、イオンの飛行時間即ちイオンの検出時間ｔとＭとの関係は次式のように近似される。
【００１０】
Ｍ＝ａｔ２＋ｂｔ＋ｃ  ………  （３）
ａ，ｂ，ｃは定数である。即ち、イオンの質量Ｍと検出時間ｔとの間には２次の関係式が成立する。この関係式（３）を求める過程が質量キャリブレーションである。
【００１１】
質量キャリブレーションでは、複数の質量既知のイオンを与える標準試料をＴＯＦに導入して質量スペクトルを測定する。出現したイオンの検出時間ｔと既知の質量値Ｍを用いることにより、（３）式の定数ａ，ｂ，ｃを求めることができる。そのため、標準試料は質量既知のイオンを広範な質量領域に与えるものが用いられる。
【００１２】
質量キャリブレーションが完了した後、実際の試料を測定し、（３）式によりイオンの検出時間ｔ０から試料イオンの質量Ｍ０を求めることができる。この標準試料による質量キャリブレーションと実試料の測定が独立に、時間経過後に行われる方式が外部標準法である。外部標準法の例としては、例えば特開２００１−７４６９７号公報（特許文献３）に開示されている。
【００１３】
しかし一般に、この外部標準法によって求まる質量測定の精度は、１００〜３０ｐｐｍ（ｐｐｍ＝１０−６）程度に過ぎない。この精度の悪さは装置周辺の温度変化等に起因するＴＯＦ飛行空間Ｌの伸び縮みや加速電圧Ｕや静電レンズ電圧などのドリフトなどに起因する。この程度の精度では、求められた精密質量Ｍから元素組成を一義的に求めることは出来ない。
【００１４】
可能性をできるだけ絞り込んで元素組成を求めるためには、５ｐｐｍ以下の測定精度が要求される。このレベルの精度を確保するためには、試料イオンと共に標準試料のイオンをＴＯＦに送り込み同時に測定することが必要である。標準試料によって得られるイオンは質量既知である。
【００１５】
一般にこの手法は内部標準法と呼ばれている。この内部標準法は、温度ドリフト等を相殺することができ、常に高精度の精密質量測定を可能にする。また、試料と共にＴＯＦのイオン源に導入する内部標準試料は、広範な質量領域にイオンを与える必要がないため、標準試料の選択が容易になる。
【００１６】
内部標準法の例としては、例えば特開２００１−２８２５２号公報（特許文献４）に開示されている。以上のことから内部標準法は、対象成分の精密質量数測定精度の向上には不可欠な手法である。
【００１７】
【特許文献１】特開平１１−１５４４８６号公報
【特許文献２】特開２００３−１２３６８５号公報
【特許文献３】特開２００１−７４６９７号公報
【特許文献４】特開２００１−２８２５２号公報
【発明の開示】
【発明が解決しようとする課題】
【００１８】
精密質量数測定において、質量分析計のみで直接試料成分をイオン化する場合は、質量キャリブレーションは容易である。あらかじめ、測定対象試料中に内部標準試料を混合し、同時にイオン化を行うことにより、精度良く精密質量数を測定することは可能である。
【００１９】
しかし、液体クロマトグラフなどのクロマトグラフィーと接続した質量分析計のなどの場合、短時間に複数の試料成分が連続して質量分析計に導入されるため、内部標準試料の導入方法及び質量キャリブレーションが困難となる。
【００２０】
すなわち、液体クロマトグラフより分離して流出する複数成分の流出変化推移に合わせるように内部標準試料の導入タイミングを制御するのが非常に難しいのである。
【００２１】
本発明は、上記の課題に鑑み、難しい内部標準試料の導入タイミング制御を必要としない液体クロマトグラフ／質量分析計を提供することを目的とする。
【課題を解決するための手段】
【００２２】
本発明は、移動相溶媒を送液する送液ポンプと，移動相溶媒とともに送られて来る試料の成分を分離するカラムを含む液体クロマグラフと、分離された成分を順次イオン化するイオン源と、イオン化された成分のマススペクトルを連続して取得するイオントラップを含む質量分析計が組み合わされた液体クロマトグラフ／質量分析方法において、目的試料と内部標準試料を混合して記カラムに導入する導入手段を有することを特徴とする。
【００２３】
更に具体的に述べると、本発明は、上記目的を達成するために、試料中の目的成分を分離する分析手段として液体クロマグラフと分離された試料成分を順次イオン化し、該当成分のマススペクトルを連続して取得する手段の質量分析計とを組み合わせた質量分析方法によるイオンの精密質量数測定において、質量キャリブレーションを行うための既知質量数の内部標準試料を液体クロマトグラフの送液ポンプにて移動相溶媒と混合し、質量分析計に連続導入あるいはパルス導入により内部標準試料を導入し、内部標準試料由来のマススペクトルを参照し、内部標準法によって目的成分のマススペクトルの質量キャリブレーションを行う。
【００２４】
あるいは、試料測定前後の液体クロマトグラフの分離として用いるカラムの洗浄過程及び安定過程時に送液ポンプから既知質量数の内部標準試料を移動相溶媒と混合し、質量分析計に導入し、測定終了後に試料測定前後の内部標準試料のマススペクトルを用いて目的成分のマススペクトルデータを外部標準法により質量キャリブレーションを行う。
【００２５】
また、両者の内部標準試料測定の際には、ＭＳデータと同時にＭＳ／ＭＳデータも取得することにより、両データの質量キャリブレーションが可能となる。質量キャリブレーションに用いる内部標準試料については、逆相カラムを用いる場合などは、逆相カラムで保持されない親水性の高い成分を用いることにより安定した連続導入も可能となり、液体クロマトグラフにおける送液ポンプのプログラムにより導入タイミングを自由に設定変更することが可能となる。
【００２６】
この導入方法により、試料成分が溶出する間、連続導入、パルス導入あるいは試料測定間に安定した導入が可能となる。
【００２７】
精密質量数測定における内部標準試料については、質量キャリブレーションするために充分なイオン量を確保することも重要であるが、しかし、多量の内部標準試料を導入すると、目的成分のイオン化が阻害される等の影響により充分なイオン量を検出することが出来なくなる可能性も考えられる。
【００２８】
そのため、内部標準試料を導入する際に、送液ポンプから移動溶媒の混合比を変化させることにより、内部標準試料の導入量も調整可能となる。これにより、液体クロマトグラフにより分離され、質量分析計によって生成した目的成分イオンと内部標準試料のイオンを一回の測定の中で同時に検出することが可能となる。更に測定された内部標準試料のイオンを基に目的成分イオンの精密質量のキャリブレーションを行う。
【発明の効果】
【００２９】
本発明によれば、目的試料と内部標準試料を混合して前記カラムに導入するので、難しい内部標準試料の導入タイミング制御を必要としない液体クロマトグラフ／質量分析計を提供することができる。
【００３０】
また、本発明によれば、液体クロマトグラフの送液ポンプを利用した質量分析計の質量キャリブレーションのための内部標準試料の導入を行うことにより、内部標準法及び外部標準法によって目的成分イオンの精密質量数測定が可能となり、ＬＣ／ＭＳ分析などの短時間の間に複数の未知成分が次々に質量分析計に導入されるような場合でも、内部標準法及び外部標準法によって目的成分イオンの精密質量数測定が可能となる。
【発明を実施するための最良の形態】
【００３１】
本発明の実施例について説明する。
【００３２】
本発明の実施例については、プロテオーム分野における解析を例にして説明する。
【００３３】
プロテオーム分野における質量分析計での解析方法は、細胞などから抽出したタンパク質混合物を消化酵素により分解し、生成したペプチド断片を液体クロマトグラフにより各ペプチド成分に分離し、分離されたペプチド成分は質量分析計によりイオン化され、質量分析される。
【００３４】
その際、質量分析計内において、１種類のペプチド断片を選定し、このイオンをＭＳ／ＭＳ分析を行うことにより、得られた生成物のイオンから各断片のアミノ酸配列を決定する。
【００３５】
本発明の実施例の装置構成を図１に示す。
【００３６】
細胞などから抽出したタンパク質混合物を消化酵素により分解しペプチド混合物を生成する。生成したペプチド混合物を含む目的試料を液体クロマトグラフ（ＬＣ）部１のインジェクタ５から注入し、３液以上の移動相溶媒が送液可能な送液ポンプ２、３、４によって送液される移動相と共にカラム６に送られ、各ペプチド成分に分離される。
【００３７】
分離された目的試料成分は、大気圧イオン化室７に導入される（ここではペプチド試料をイオン化する際に適しているイオン源としてＥＳＩ（Ｅｌｅｃｔｒｏ  ｓｐｒａｙ  ｉｏｎｉｚａｔｉｏｎ）イオン源の例で説明する）。
【００３８】
ＥＳＩイオン源７において、分離されたペプチド成分はイオン化される。ＥＳＩイオン源７から噴霧されたイオンはサンプリング部８から真空系に導入され、導入されたイオンを線形イオントラップ部１０へ導くイオン輸送部９にて加速される。
【００３９】
線形イオントラップ部１０は、４本の直線電極である四重極フィルタ１１で構成されており、１２は入口電極、１３は出口電極となる。
【００４０】
このような線形イオントラップ部１０を用いることにより、ＭＳ／ＭＳの為のイオン選択を行うことが可能である。加速されたイオンは、線形イオントラップ部１０の空間にトラップされる。
【００４１】
試料イオンは、線形イオントラップ部１０でトラップされた後、線形イオントラップ部１０より試料イオンを四重極フィルタ１４に向けて排出する。線形イオントラップ部１０より排出された試料イオンは、四重極フィルタ１４を経由してエネルギーを均一化され、デフレクタ１５、収束レンズ１６を通過し偏向、収束される。
【００４２】
その後、飛行時間型質量分析計１７に入り、押し出し電極１８、引き出し電極１９からなるイオン加速部で直交方向に加速される。加速されたイオンはリフレクトロン２０で折り返された後、検出器２１に向かって飛行させ、検出器２１にて試料イオンを検出しマススペクトルを得る。
【００４３】
線形イオントラップ部１０の後段に飛行時間型質量分析計１７を配置することにより、質量精度、マススペクトル分解能が向上する。また、本実施例の質量分析装置は、制御部２２とデータ処理部２３とを備える。
【００４４】
データ処理部２３は、液体クロマトグラフ１の制御の条件、質量分析計のイオン源２、線形イオントラップ部１０の制御の条件等を測定者の入力に基づき制御部２２に送る。データ処理部２３は、線形イオントラップ部１０から飛行時間型質量分析計１７を経て検出器２１で検出されたマススペクトルデータを信号線を介して受け付け、このデータを処理して記録、表示する。
【００４５】
次に本発明の主要部について説明する。
【００４６】
本発明の特徴としては、内部標準試料を質量分析計に導入するために液体クロマトグラフ１の送液ポンプのグラジエント機能を用いることである。液体クロマトグラフの送液ポンプ２、３、４は、三液以上（Ａ、Ｂ、Ｃ以上）の送液が可能なシステム（ここでは、低圧グラジエントポンプの例で説明する）を用いる。
【００４７】
目的成分を分離する際の移動相は、Ａライン２、Ｂライン３の送液ラインを使用する。プロテオーム解析においては、０．１％ギ酸を含む水溶液とアセトニトリル水溶液とのグラジエント分離が一般的である。内部標準試料の導入に関しては、Ｃライン４の送液ラインを使用する。
【００４８】
この際、内部標準試料を溶解する溶媒としては、Ａラインの送液ラインと同様の０．１％ギ酸を含む水溶液で溶解する。この三液の送液方法により、内部標準試料をＥＳＩイオン源に導入し、目的試料成分と内部標準試料のイオン化を行う。
【００４９】
内部標準試料の導入方法については、Ａ、Ｂの送液ラインで通常の分離する際のグラジエントプログラムを設定し、Ｃの送液ラインについては、一定量の内部標準試料を流し続ける。
【００５０】
これにより連続した内部標準試料の導入が可能となり、内部標準法による精密質量数補正のイオンを検出することが可能となる。
【００５１】
すなわち、液体クロマトグラフの送液ポンプ２、３、４で内部標準試料と目的試料が混ざって一緒になって液体クロマトグラフのカラム６に導入することにより、前述したような液体クロマトグラフより分離して流出する複数成分の流出変化推移に合わせて内部標準試料の導入タイミングを制御する煩わしさが不要になる。つまり、難しい内部標準試料の導入タイミング制御を必要としない液体クロマトグラフ／質量分析計を提供することが出来る。
【００５２】
なお、連続した内部標準試料の導入は、ＥＳＩイオン源の汚染する原因となり、ＥＳＩイオン源のイオン化効率低下、感度低下を招く可能性もある場合には次のような対応をする。
【００５３】
すなわち、パルス導入方式により、一定間隔でＣの送液ラインより内部標準試料を導入するプログラムを設定することにより、内部標準試料の導入量を軽減することが可能となる。
【００５４】
また、外部標準法により精密質量数補正を行う場合は、試料測定間に液体クロマトグラフに用いる分離カラムの洗浄時間やカラム平衡化時間にＣの送液ラインより内部標準試料を導入する。
【００５５】
この送液方法により、試料測定間に内部標準試料のマススペクトルを取得することが可能となり、連続試料における測定間においても、測定前後のカラム洗浄、安定化時間に得られた内部標準試料のマススペクトルにより外部標準法により精密質量数の質量キャリブレーションが可能となる。
【００５６】
本実施例では、内部標準試料としてペプチド成分（アミノ酸配列例：ＲＲＲＥＥＥＥＥＥＡＡ）を用いる。このようなアミノ酸配列は、親水性の高いアミノ酸を多く含んでいることから通常、プロテオーム解析で用いられる逆相系のカラムでは保持されない。
【００５７】
このため、液体クロマトグラフの送液ポンプから内部標準試料として導入を行っても、液体クロマトグラフの分離カラムに保持されず、ＥＳＩイオン源に導入される形となる。ペプチド成分は、ＥＳＩイオン源で測定した場合、多価イオンを生成する。
【００５８】
例えば、上記ペプチドの場合、精密質量数は、Ｍ＝１２４６．５４２０であるが、ＥＳＩイオン源でイオン化した場合、図２に示すようなマススペクトルが観測される傾向にあり、一価イオンとしてｍ／ｚ＝１２４７．５４９９、二価イオンとしてｍ／ｚ＝６２４．２７８６、三価イオンとしてｍ／ｚ＝４１６．５２１５、四価イオンとしてｍ／ｚ＝３１２．６４２９のイオンが観測される可能性がある。
【００５９】
そのため、一成分の内部標準試料を用いて少なくても二本以上の質量補正用のイオンが観測されることになる。これらの多価イオンピークは質量数が既知であることから、精密質量数測定の内部標準試料ピークとして選択可能である。
【００６０】
また、精密質量数を測定する目的成分の質量数領域によっては、ジ・トリペプチドのような短いアミノ酸配列の成分も同時に混合しておくことにより、低分子側からの内部標準試料由来のイオンピークを観測することも可能である。
【００６１】
また、上記内部標準試料のＭＳＭＳ測定を行った場合、ペプチドの連鎖を反映したプロダクトイオンが検出される。ペプチドが一般的にフラグメンテーションする場所は、Ｃ−ＣＯ、ＣＯ−ＮＨ及びＮＨ−Ｃ結合である。
【００６２】
リニアイオントラップによるＭＳ／ＭＳ測定では、一般的にＣＯ−ＮＨ結合でのフラグメンテーションが多く観測され、ペプチド成分のＮ末端側が保存されるフラグメントイオンをｂ系列、Ｃ末端側が保存されているフラグメントイオンをｙ系列と標記される。
【００６３】
上記ペプチドの場合、図３に示すような各ｂ、ｙ系列のプロダクトイオンが観測される傾向にあることから、ペプチド成分をＭＳＭＳした場合、多くのプロダクトイオンが観測される可能性が高い。
【００６４】
そのため、質量数既知のペプチド成分を用いれば、これらのプロダクトイオンの精密質量数も把握出来るため、ＭＳ／ＭＳ測定時の質量キャリブレーションテーブルとして使用することも可能である。
【００６５】
次に図１の構成において、精密質量数測定を行う際、液体クロマトグラフの送液ポンプのグラジエント方法について説明する。
【００６６】
図４に、液体クロマトグラフの送液ポンプにおけるＡ、Ｂ送液ラインの移動相溶媒のグラジエントプログラムとＣ送液ラインにおける内部標準試料の導入タイミングのプログラムチャートを示す。
【００６７】
図４において試料注入ｔ１から測定終了ｔ４までの時間は、通常３０分から１２０分程度である。
【００６８】
内部標準試料を連続して導入する場合のグラジエントプログラムとしては、通常のグラジエントプログラムとして、Ａ／Ｂ＝９５／５の移動相組成で送液を開始しカラム安定化後、ｔ１からｔ２の時間でＡ／Ｂ＝５０／５０に移動相組成を変化させる。
【００６９】
この際、内部標準試料については、Ａの送液ラインの移動相と同じ組成の溶媒で調製しておくことにより、溶媒組成をＡ／Ｂ／Ｃ＝９０／５／５の移動相組成で送液を行う。この設定により、内部標準試料については、５％の組成で連続導入を行い、Ａについては、Ｃの内部標準試料の導入量分差し引く形とする。
【００７０】
この設定と同様にｔ２における移動相組成についてもＡ／Ｂ／Ｃ＝４５／５０／５と設定する。この時、Ｃの内部標準試料の溶媒組成はＡの移動相と同一の組成であることから、見かけ上のグラジエント組成は、先のグラジエント条件と同一である。
【００７１】
その後、ｔ２からは分離カラムの洗浄プログラムとなるため、Ａ／Ｂ／Ｃ＝５／９０／５に変更し、ｔ３までカラム洗浄を行う。カラム洗浄終了後、ｔ３においてカラム平衡化のために初期移動相組成のＡ／Ｂ／Ｃ＝９０／５／５に変更し、ｔ４まで送液を行う。
【００７２】
この設定により液体クロマトグラフの送液ポンプより一定量の安定した内部標準試料の導入が可能となる。
【００７３】
ＥＳＩイオン源の汚染する原因となり、ＥＳＩイオン源のイオン化効率低下、感度低下を招く可能性が考えられる場合、パルス導入方式により、一定間隔でＣの送液ラインより内部標準試料を導入するグラジエントを設定することにより、内部標準試料の導入時間を軽減することも可能となる。
【００７４】
例えば、図５に示すように１０分毎に内部標準試料をＥＳＩイオン源に導入する場合、先のグラジエント組成において、ｔ１の試料注入からｔ２までの時間を３０分とし、１０分毎にＣの内部標準試料を５％の組成で一分間導入する場合とする。
【００７５】
この場合、ｔ１、ｔ１＋１０分後、ｔ１＋２０分後、ｔ２（ｔ１＋３０分後）の計４回の内部標準試料の導入が行われる。Ｃの内部標準試料の導入タイミングでは同時にＡの移動相の組成を５％差し引いた形のグラジエント組成による送液を行う。
【００７６】
測定開始時のｔ１でのグラジエント組成はＡ／Ｂ／Ｃ＝９０／５／５で開始し、一分後、Ａ／Ｂ／Ｃ＝９４／６／０に設定する。測定開始から１０分後には、再び内部標準試料を導入するため、グラジエント組成をＡ／Ｂ／Ｃ＝８１／１４／５で送液を行う。
【００７７】
その一分後には、Ａ／Ｂ／Ｃ＝８５／１５／０に設定し、Ｃの送液ラインからの内部標準試料の導入をストップする。
【００７８】
このような設定を１０分毎にＡ／Ｂのグラジエント勾配を考慮してＣの送液ラインからの内部標準試料の導入を繰り返すことにより、１０分毎のパルス方式による内部標準試料の導入を行う。
【００７９】
本実施例では、３０分間の測定において、図５に示すように４回の内部標準試料の導入が可能となる。ｔ２からｔ３の間のカラム洗浄及びｔ３からｔ４間のカラム平衡化の時間に関しては、通常の移動相Ａ／Ｂによるグラジエントプログラムと同様の送液を行う。
【００８０】
次に、図６に外部標準法による質量キャリブレーションを行う際の液体クロマトグラフの送液ポンプにおけるＡ、Ｂ送液ラインの移動相溶媒のグラジエントプログラムとＣ送液ラインの内部標準試料の導入タイミングのプログラムチャートを示す。
【００８１】
ＡとＢの送液でのグラジエント送液を行った後にカラム洗浄を目的とし、ｔ２からｔ３までの時間Ａ／Ｂ＝１０／９０の移動相組成でアセトニトリル量を多く流す設定を行う。この送液の間にＣの内部標準試料の送液を行う。
【００８２】
従って、カラム洗浄のｔ２からｔ３の間、Ａ／Ｂ／Ｃ＝５／９０／５の送液を行う。これにより、カラム洗浄のｔ２からｔ３の間のみ内部標準試料を導入することが可能となり、試料測定間に内部標準試料のマススペクトル測定を行うことが可能となる。
【００８３】
この方式を行うことにより、試料測定前後における内部標準試料の精密質量数の確認及び外部標準法による質量補正が可能である。
【００８４】
また、すべての導入方式において、内部標準試料の導入を行っている間については、内部標準試料に該当するイオンピークをリニアイオントラップにおけるＭＳ／ＭＳ分析の対象とすることにより、内部標準試料に由来するＭＳ／ＭＳ分析におけるプロダクトイオンを選択することにより、ＭＳ／ＭＳ分析時の質量キャリブレーションイオンとして選択することも可能となる。
【００８５】
このような内部標準試料の導入を行うことにより、液体クロマトグラフの送液ポンプのグラジエント組成を変化させることにより、測定者が自由に内部標準試料の導入タイミング及び導入量を設定することが可能となる。
【００８６】
また、ＭＳ及びＭＳ／ＭＳ分析において両方の内部標準試料に由来するイオンピークを観測することも可能となる。
【００８７】
この結果、リニアイオントラップ／飛行時間型質量分析計により、目的成分のＭＳスペクトルデータ、ＭＳ／ＭＳスペクトルデータ及び内部標準試料のＭＳスペクトルデータ、ＭＳ／ＭＳスペクトルデータが得られる。
【００８８】
検出された目的成分のイオンと内部標準試料のイオンは、検出器において電気信号に変換された後に、データ処理装置に取り込まれる。取り込まれたデータは、データ処理装置のディスプレイ等の表示部にマススペクトルとして表示する。
【００８９】
マススペクトルは、横軸に質量と電荷との比（ｍ／ｚ）、縦軸にイオン強度として表示される。試料測定者は、これらのマススペクトルをデータ処理装置に表示した後に、精密質量計算を行う目的成分のイオンと内部標準試料のイオンを確認する。
【００９０】
測定者は、目的成分のイオン及び内部標準試料のイオンが充分な強度で検出されていることを確認し、データ処理装置に備えられているマウスなどを用いてデータ処理装置の画面上に表示されたイオンピークを指定する。
【００９１】
また、ｍ／ｚ値を入力するためのウィンドウを表示させて、入力する方法や、予め測定前に、内部標準試料の質量数は既知質量であることから、データ処理装置に測定時に用いる可能性のある内部標準試料の精密質量数を登録しておいても良い。
【００９２】
目的成分のイオンのｍ／ｚ値を指定することにより、指定ピーク近傍の内部標準試料のイオンも用いて、自動で指定された目的成分の質量キャリブレーションを行い、精密質量数が表示される。
【００９３】
内部標準試料を選択する場合は、目的成分のイオンの一番近い内部標準試料のイオンを選択する場合と目的成分は挟み込む形で目的成分の両側に存在する近傍の内部標準試料を選択する場合の指定が可能である。
【００９４】
また、内部標準試料のイオンをｍ／ｚ値で指定した場合は、そのｍ／ｚ値に相当するマススペクトルを自動表示させ、測定者側に内部標準試料のマススペクトルが分かりやすいように別ウィンドウに内部標準試料に該当するマススペクトルを表示、或いは目的成分のマススペクトルを表示しているウィンドウに同時表示させても良い。
【００９５】
質量キャリブレーションを行った後に、精密質量数が表示された目的成分のイオンについては、その精密質量数を用いて分子式の計算を行う。計算によって求められた分子式は、別ウィンドウやマススペクトルデータ上に表示される。
【００９６】
本実施例では、上記のように、液体クロマトグラフの送液ポンプにより安定した内部標準試料の導入を行い、内部標準試料のイオンも用いて、測定者が指定した目的成分のイオンについて、容易に精密質量数計算が可能となる。
【００９７】
上述したように本発明の実施例によれば、液体クロマトグラフにより分離され、質量分析計によって生成した目的成分イオンの精密質量数測定を液体クロマトグラフの送液ポンプにより導入した内部標準試料を用いて、外部標準法及び内部標準法により質量キャリブレーションすることが可能となる。
【図面の簡単な説明】
【００９８】
【図１】本発明の実施例に係わるもので、液体クロマトグラフ／質量分析計の概略構成図である。
【図２】本発明の実施例に係わるもので、内部標準試料のマススペクトル例である。
【図３】本発明の実施例に係わるもので、内部標準試料のグラグメントイオンリストである。
【図４】本発明の実施例に係わるもので、液体クロマトグラフの送液ポンプにより内部標準試料の導入方法のタイミングチャートである（内部標準法：連続導入）。
【図５】本発明の実施例に係わるもので、液体クロマトグラフの送液ポンプにより内部標準試料の導入方法のタイミングチャートである（内部標準法：パルス導入）。
【図６】本発明の実施例に係わるもので、液体クロマトグラフの送液ポンプにより内部標準試料の導入方法のタイミングチャートである（外部標準法）。
【符号の説明】
【００９９】
１…液体クロマトグラフ（ＬＣ）部、５…インジェクタ、２…送液ポンプ、３…送液ポンプ、４…送液ポンプ、６…カラム、７…ＥＳＩイオン源、８…サンプリング部、１０…線形イオントラップ部、９…イオン輸送部、１１…四重極フィルタ、１２…入口電極、１３…出口電極、１４…四重極フィルタ、１５…デフレクタ、１６…収束レンズ、１７…飛行時間型質量分析計、１８…押し出し電極、１９…引き出し電極、２０…リフレクトロン、２１…検出器、２２…制御部、２３…データ処理部。
【図１】
0004966780.tif 000002
【図２】
0004966780.tif 000003
【図３】
0004966780.tif 000004
【図４】
0004966780.tif 000005
【図５】
0004966780.tif 000006
【図６】
0004966780.tif 000007